(57)【特許請求の範囲】
【請求項１】
円筒型の筐体を有するマイクを充電するマイク充電装置であって、
本体と、
前記本体に凹設され、前記マイクの筐体の軸線方向一端側のマイク後端部の挿入に応じて、前記マイクを鉛直方向に沿う方向に起立保持するマイク挿入用凹部と、
前記マイク挿入用凹部の底面に突設され、前記マイク後端部の後端面に凹設された低突起用凹部の高さと同一の高さを有する低突起と、
前記マイク挿入用凹部の底面に突設され、前記低突起用凹部よりも背高の高突起用凹部の高さと同一の高さを有する高突起と、
前記低突起を挟み、前記高突起の反対側となる前記マイク挿入用凹部の内周面における円周方向の一部分に形成され、前記マイクを傾斜させて前記マイク後端部を保持する傾斜保持面と、を備える、
マイク充電装置。
【請求項２】
請求項１に記載のマイク充電装置であって、
前記低突起及び前記高突起の突出先端に、前記傾斜保持面に向かって下り傾斜する先端傾斜面が形成される、
マイク充電装置。
【発明の詳細な説明】
【技術分野】
【０００１】
本発明は、マイク充電装置に関する。
【背景技術】
【０００２】
充電式マイクの充電装置は、例えば大会や会議中にマイクの電池切れが起きないように充電口を２つ設けて常に予備のマイクを充電する等、工夫がされている。また、上記の大会や会議等の場合、非接触式の充電装置では充電に時間がかかるため、接触式の充電装置が用いられている。接触式の充電装置としては、例えば特許文献１に開示されるカラオケ・マイクと充電スタンドとが知られている。
【０００３】
図９（Ａ）及び（Ｂ）に示すように、特許文献１に示すカラオケ・マイクと充電スタンドは、ワイヤレスマイク５０１のマイク後端部５０３の後面に、二重円環状の端子５０５，５０７とが設けられる。充電スタンド５０９に形成されたカップ部５１１には、ワイヤレスマイク５０１が無雑作に差し込まれる。カップ底部５１３に備えられた２本の接続ピン５１５，５１７は、二重円環状の端子５０５，５０７と個々に対応するように接触する。カップ底部５１３には、キャップ部材５１９が弾発支持される。キャップ部材５１９は、それぞれの端子５０５，５０７を挿通する貫通孔５２１を備える。
【０００４】
マイク後端部５０３がカップ部５１１に差し込まれると、キャップ部材５１９がマイク後端部５０３に押し下げられ、接続ピン５１５，５１７の先端５２３は、貫通孔５２１を突き抜けて二重円環状の対応する端子５０５，５０７と接触する。これにより、ワイヤレスマイク５０１は、接続ピン５１５，５１７に接続された充電回路（図示略）から、充電型電池（図示略）に電力が給電される。このカラオケ・マイクと充電スタンドによれば、ワイヤレスマイク５０１を充電スタンド５０９に無雑作に差し込めばその回転向き、差し方に拘わらず、端子５０５，５０７を、個々に対応する接続ピン５１５，５１７に接続させて充電できる。
【０００５】
上記のワイヤレスマイク５０１には、充電スタンド５０９に装着されてから充電されているか否かを視認可能なＬＥＤ（Light Emission Diode）が設けられたタイプもある。この種のワイヤレスマイクによれば、ＬＥＤの点灯を視認することで、充電中であることを容易に確認できる。
【０００６】
この他、接触式の充電装置としては、例えば特許文献２に示すワイヤレスマイク用の充電器が知られている。図示は省略するが、この充電器は、筐体の上面に設けたマイク挿入用凹部に、ワイヤレスマイクの下端部を挿入して、ワイヤレスマイクに内蔵される蓄電池に充電するワイヤレスマイク用の充電器において、マイク挿入用凹部の内周面に透明部材を配設している。透明部材には、光が入射するようにＬＥＤが配設される。ＬＥＤの点灯により、マイク挿入用凹部の開口縁が透明部材を通過した光により表示される。また、発光色の異なる２種類のＬＥＤが配設され、一方の発光色のＬＥＤの点灯の強弱と、他方の発光色のＬＥＤの点灯により、ワイヤレスマイクが挿入されていない状態と、充電中と、充電完了の状態をそれぞれ視認可能にさせる。
【先行技術文献】
【特許文献】
【０００７】
【特許文献１】実開平４−５７９５号公報
【特許文献２】特開２００５−２２９７８４号公報
【発明の概要】
【発明が解決しようとする課題】
【０００８】
しかし、特許文献１に示す円筒型のワイヤレスマイク５０１は、回転向きや差し方に拘わらず、充電スタンド５０９に装着されて充電されるが、容易に回転することから、ユーザから見たときに、充電されているか否か（つまり、接点が合っているか否か）を示すＬＥＤのワイヤレスマイク５０１の筐体に対する位置が一定に固定されない。このため、ユーザは、充電がなされていないことに気付かないという問題があった。また、特許文献２に示す充電装置は、マイク挿入用凹部の開口縁がＬＥＤの点灯の強弱や、発光色により、ワイヤレスマイクが挿入されていない状態、充電中の状態をそれぞれ示すが、装置が複雑となり製造コストが嵩むという問題がある。
【０００９】
本発明は、上記従来の状況に鑑みて案出され、簡素な構造で、円筒型の充電式マイクの充電が確実に行い、充電が行われていない場合にはその様子を容易に視認させるマイク充電装置を提供することを目的とする。
【課題を解決するための手段】
【００１０】
本発明は、円筒型の筐体を有するマイクを充電するマイク充電装置であって、本体と、前記本体に凹設され、前記マイクの筐体の軸線方向一端側のマイク後端部の挿入に応じて、前記マイクを鉛直方向に沿う方向に起立保持するマイク挿入用凹部と、前記マイク挿入用凹部の底面に突設され、前記マイク後端部の後端面に凹設された低突起用凹部の高さと同一の高さを有する低突起と、前記マイク挿入用凹部の底面に突設され、前記低突起用凹部よりも背高の高突起用凹部の高さと同一の高さを有する高突起と、前記低突起を挟み、前記高突起の反対側となる前記マイク挿入用凹部の内周面における円周方向の一部分に形成され、前記マイクを傾斜させて前記マイク後端部を保持する傾斜保持面と、を備える、マイク充電装置である。
【発明の効果】
【００１１】
本発明によれば、簡素な構造で、円筒型の充電式マイクの充電を確実に行い、充電が行われていない場合にはその様子を容易に視認させることができる。
【図面の簡単な説明】
【００１２】
【図１】本実施形態のマイク充電装置の断面図
【図２】図１のＡ−Ａ斜視図
【図３】図１に示す充電装置の斜視図
【図４】図３に示す充電装置の要部拡大平面図
【図５】図４のＢ−Ｂ断面図
【図６】ワイヤレスマイクが正規位置にあるマイク充電装置の断面図
【図７】ワイヤレスマイクが不正規位置にあるマイク充電装置の断面図
【図８】左方のワイヤレスマイクが正規位置にあり、右方のワイヤレスマイクが不正規位置にあるマイク充電装置の斜視図
【図９】（Ａ）従来のカラオケ・マイクと充電スタンドのマイク挿入前の断面図、（Ｂ）マイク挿入後の断面図
【発明を実施するための形態】
【００１３】
以下、本発明に係るマイク充電装置を具体的に開示した実施形態（以下、「本実施形態」という）について、図面を参照して説明する。
【００１４】
図１は、本実施形態のマイク充電装置の断面図である。本実施形態のマイク充電装置１１は、円筒型の筐体を有するワイヤレスマイク１３を充電し、具体的には、低突起用凹部１５と、高突起用凹部１７と、充電装置１９と、マイク挿入用凹部２１と、低突起２３と、高突起２５と、傾斜保持面２７とを含む構成である。なお、マイク充電装置１１は、充電装置１９と同一の構成としてもよく、この場合には、充電装置１９は、低突起用凹部１５と、高突起用凹部１７と、マイク挿入用凹部２１と、低突起２３と、高突起２５と、傾斜保持面２７とを含む構成となる。これに加え、マイク充電装置１１は、低突起２３及び高突起２５の突出先端に形成される先端傾斜面２９と、後端面３１に形成される矩形穴３３とを構成として有する。また、マイク充電装置１１では、一つの充電装置１９に対し、２本のワイヤレスマイク１３が装着可能となる。
【００１５】
ワイヤレスマイク１３には、二次電池（内蔵の蓄電池）に接続されたマイク側端子（図示略）が設けられている。充電装置１９には、ワイヤレスマイク１３のマイク側端子に接続される筐体側端子３５（図４参照）が設けられている。ワイヤレスマイク１３を充電装置１９に装着することにより、ワイヤレスマイク１３のマイク側端子が充電装置１９の筐体側端子３５に接続されて、ワイヤレスマイク１３の蓄電池が充電される。
【００１６】
ワイヤレスマイク１３は、軸線３７に直交する断面の外形が円形に形成される。より具体的には、本体部３９は、マイク後端部４１に向かって縮径される逆円錐台形状で形成される。ワイヤレスマイク１３は、軸線方向一端側のマイク後端部４１を充電装置１９に挿入して内蔵の蓄電池に充電する。ワイヤレスマイク１３は、軸線方向他端側がマイク部４３（図８参照）となる。マイク部４３の後端側となる本体部３９の外周面の一部には、操作部４５（図８参照）が設けられる。操作部４５には各種のスイッチ４７や、ＬＥＤ４９が設けられる。
【００１７】
スイッチ４７は、ワイヤレスマイク１３の電源をオンオフする。ＬＥＤ４９は、一方の発光色のＬＥＤ４９の点灯の強弱と、他方の発光色のＬＥＤ４９の点灯とにより、ワイヤレスマイク１３の充電切れの状態と、充電中と、充電完了の状態をそれぞれ表示可能とすることができる。
【００１８】
図２は、図１のＡ−Ａ斜視図である。ワイヤレスマイク１３は、マイク後端部４１の後端面３１に、低突起用凹部１５と、高突起用凹部１７とが凹設される。高突起用凹部１７は、低突起用凹部１５よりも、後端面３１からの深さが深く形成されている。低突起用凹部１５と高突起用凹部１７とは、別々に形成されてもよく、後述するように一体に形成されてもよい。
【００１９】
本実施形態において、低突起用凹部１５と高突起用凹部１７とは、一体に形成されている。即ち、ワイヤレスマイク１３の後端面３１には、軸線３７を含んで直径方向に長い矩形穴３３が形成される。矩形穴３３は、直径に沿う方向に浅底面５１と深底面５３とが並ぶ階段状底面５５を有する。この矩形穴３３は、浅底面部分が上記の低突起用凹部１５となり、矩形穴３３の深底面部分が上記の高突起用凹部１７となっている。
【００２０】
図３は、図１に示す充電装置の斜視図である。充電装置１９は、略直方体形状となった本体としての筐体５７を有する。筐体５７の内部には、ワイヤレスマイク１３に電源供給するための単品充電池（図示略）が内蔵される。筐体５７の上面には、この単品充電池の充電口５９が設けられている。なお、充電装置１９は、ＡＣアダプタ（図示略）が接続されることにより、商用交流電源を電源回路によって直流に変換してワイヤレスマイク１３へ給電してもよい。
【００２１】
筐体５７の上面は、平行な一対の長辺部の一方に沿って、一対のマイク挿入用凹部２１が凹設されている。一対のマイク挿入用凹部２１は、同一に構成される。マイク挿入用凹部２１は、カップ状の円形空間を有する。マイク挿入用凹部２１は、マイク後端部４１を挿入して、ワイヤレスマイク１３を鉛直方向に沿う方向に起立保持する。
【００２２】
なお、マイク挿入用凹部２１には、筐体５７の長辺部に沿って円形空間を挟む一対の四角状空間６１が設けられている。これにより、マイク挿入用凹部２１は、角型ワイヤレスマイクの装着も可能としている。
【００２３】
図４は、図３に示す充電装置の要部拡大平面図である。マイク挿入用凹部２１には、円形状の底面６３が形成される。この底面６３には、一対の筐体側端子３５が露出する。なお、一対のマイク挿入用凹部２１は、上記したように同一の構成を有するので一方のみについて説明し他方の説明は省略する。底面６３の略中央部には、低突起２３と高突起２５とが突設される。
【００２４】
図５は、図４のＢ−Ｂ断面図である。低突起２３は、低突起用凹部１５の深さと同一の高さで底面６３から起立する。高突起２５は、高突起用凹部１７の深さと同一の高さで底面６３から起立する。つまり、高突起２５は、低突起２３よりも底面６３から高く突出している。低突起２３と高突起２５との間には中間突出部６５が突設される。
【００２５】
低突起２３、中間突出部６５、及び高突起２５を包囲する輪郭は、矩形状となる。この輪郭の矩形状は、マイク後端部４１の後端面３１に凹設された矩形穴３３と略一致する。つまり、マイク後端部４１がマイク挿入用凹部２１に挿入されると、低突起２３及び高突起２５が、マイク後端部４１の矩形穴３３に挿入される。
【００２６】
ワイヤレスマイク１３は、正規の回転向きでマイク挿入用凹部２１に挿入されると、低突起２３が矩形穴３３の低突起用凹部１５に進入し、高突起２５が矩形穴３３の高突起用凹部１７に進入する。これにより、低突起２３及び高突起２５は、マイク後端部４１と干渉することなく、矩形穴３３に収容される。低突起２３及び高突起２５が矩形穴３３に挿入されたマイク後端部４１は、後端面３１がマイク挿入用凹部２１の底面６３に平行に当接する。その結果、ワイヤレスマイク１３は、マイク挿入用凹部２１に真直に起立して保持される（図６参照）。この状態で、マイク側端子は、筐体側端子３５と接触して接続される。
【００２７】
傾斜保持面２７は、低突起２３を挟み、高突起２５の反対側となるマイク挿入用凹部２１の内周面における円周方向の一部分に形成されている。この傾斜保持面２７は、ワイヤレスマイク１３を傾斜させてマイク後端部４１を保持する（図７参照）。上記のように、マイク後端部４１の外周面は、逆円錐台形である。このため、傾斜保持面２７は、この外周面に沿う湾曲凹面で形成され、傾斜したワイヤレスマイク１３が転がらないように安定して保持可能としている。
【００２８】
マイク充電装置１１は、低突起２３及び高突起２５の突出先端に、傾斜保持面２７に向かって下り傾斜する先端傾斜面２９が形成されている。これにより、低突起２３及び高突起２５は、突出先端が、図２に示す線状先端部６７、線状先端部６９で接触する。なお、ワイヤレスマイク１３の正規の挿入方向では、線状先端部６７、線状先端部６９は、浅底面５１、深底面５３に接触しなくてもよい。
【００２９】
次に、上記したマイク充電装置１１の作用を説明する。
【００３０】
図６は、ワイヤレスマイクが正規位置にあるマイク充電装置の断面図である。図７は、ワイヤレスマイクが不正規位置にあるマイク充電装置の断面図である。図８は、左方のワイヤレスマイクが正規位置にあり、右方のワイヤレスマイクが不正規位置にあるマイク充電装置の斜視図である。
【００３１】
本実施形態のマイク充電装置１１では、ワイヤレスマイク１３が、図６に示すように、軸線３７を中心とする回転方向の正規の向きでマイク挿入用凹部２１に挿入されると、底面６３の低突起２３がマイク後端部４１の低突起用凹部１５に嵌合し、且つ底面６３の高突起２５がマイク後端部４１の高突起用凹部１７に嵌合する。本実施形態では、低突起２３及び高突起２５が、正規の向きで矩形穴３３に嵌合している。
【００３２】
その結果、ワイヤレスマイク１３は、後端面３１がマイク挿入用凹部２１の底面６３と平行に載置されて、図８の左方のワイヤレスマイク１３のように真直に起立した状態に保持される。これによって、マイク側端子が、筐体側端子３５と一致し、充電装置１９の電源回路からワイヤレスマイク１３の蓄電池に給電が行われる。
【００３３】
一方、図７に示すように、ワイヤレスマイク１３が、軸線３７を中心とする回転方向の不正規の向きでマイク挿入用凹部２１に挿入されると、高突起２５がワイヤレスマイク１３の後端面３１に当たる。すると、ワイヤレスマイク１３には、高突起２５の突出先端（線状先端部６９）を中心に傾斜保持面２７に向かって倒れる方向のモーメントＭが生じる。これにより、ワイヤレスマイク１３は、バランスを崩し、大きく（傾斜していることが容易に判断可能な角度で）傾斜して、図８の右方のワイヤレスマイク１３のように傾斜保持面２７に保持される。
【００３４】
ワイヤレスマイク１３は、この傾斜保持状態ではマイク側端子が筐体側端子３５と接触せず、充電されない。即ち、ユーザは、大きく傾斜しているワイヤレスマイク１３を見ること、或いは触れることにより、充電のなされていないことに確実に気づくことができる。このように、マイク充電装置１１は、マイク不正規位置では、ワイヤレスマイク１３を傾斜保持面２７に向けて積極的に倒す構造となっている。
【００３５】
なお、ワイヤレスマイク１３は、重心が軸線３７の近傍に位置している。この重心は、質量の大きい蓄電池等の部品の配置等によって設定される。ワイヤレスマイク１３は、仮に重心が、図７に示す線状先端部６９を通り、軸線３７と平行な仮想線７１の外側に位置する場合、傾斜保持面２７に向かって倒れない場合が生じる。このため、ワイヤレスマイク１３の重心は、仮想線７１の内側方向（矢印Ｃ方向）に配置される。これを平面視で表せば、重心は、図２に示す仮想円７３の内側に位置する。但し、軸線３７を中心とする回転方向の正規の向きでは、重心は、図２に示す操作部４５に接近する方向で仮想円７３の外側となってもよい。
【００３６】
また、マイク充電装置１１では、低突起２３及び高突起２５の突出先端に、先端傾斜面２９が形成される。このため、マイク後端部４１の後端面３１に、低突起２３及び高突起２５の突出先端が、ほぼ線接触状態で接触する。この低突起２３及び高突起２５の２本の接触線（線状先端部６７、線状先端部６９）は、傾斜保持面２７に接近離反する方向に直交方向となって相互に平行となる。これにより、ワイヤレスマイク１３は、軸線３７を中心とする回転方向の不正規の向きでは、突出先端が平坦面である場合に比べ、傾斜保持面２７に向かってより傾きやすくなる。
【００３７】
また、低突起２３及び高突起２５の突出先端は、先端傾斜面２９を形成することで、傾斜保持面２７から離反する方向（図２の右方向）に配置される。これにより、ワイヤレスマイク１３は、低突起２３及び高突起２５による支点が傾斜保持面２７から離れ、より傾斜保持面２７に向かって倒れやすくなる。
【００３８】
更に、マイク充電装置１１では、ワイヤレスマイク１３が、正規の向きに対して１８０度回転された不正規の向きでマイク挿入用凹部２１に挿入されると、高突起２５の突出先端が浅底面５１に当接する。浅底面５１が高突起２５に当たったワイヤレスマイク１３は、上記同様、モーメントＭが生じて、バランスを崩す。この際、低突起用凹部１５が、矩形穴３３の浅底面部分の全体となった大きな空間となっている。これにより、低突起用凹部１５は、独立した小さな空間である場合に比べ、低突起２３と干渉しにくくなり、ワイヤレスマイク１３の容易な傾斜を可能としている。
【００３９】
このように、マイク充電装置１１は、ワイヤレスマイク１３を大きく傾斜させることによって、充電のなされていないことを、確実にユーザに気づかせることができる。
【００４０】
従って、本実施形態に係るマイク充電装置１１によれば、簡素な構造で、円筒型の充電式マイクの充電を確実に行うことができ、充電が行われていない場合にはその様子を容易に視認させることができる。
【００４１】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００４２】
本発明は、簡素な構造で、円筒型の充電式マイクの充電を確実に行い、充電が行われていない場合にはその様子を容易に視認させることができるマイク充電装置として有用である。
【符号の説明】
【００４３】
１１  マイク充電装置
１３  ワイヤレスマイク
１５  低突起用凹部
１７  高突起用凹部
１９  充電装置
２１  マイク挿入用凹部
２３  低突起
２５  高突起
２７  傾斜保持面
２９  先端傾斜面
３１  後端面
３３  矩形穴
３７  軸線
４１  マイク後端部
５１  浅底面
５３  深底面
５５  階段状底面
５７  筐体
６３  底面
【図１】
0006391052.tif 000002
【図２】
0006391052.tif 000003
【図３】
0006391052.tif 000004
【図４】
0006391052.tif 000005
【図５】
0006391052.tif 000006
【図６】
0006391052.tif 000007
【図７】
0006391052.tif 000008
【図８】
0006391052.tif 000009
【図９】
0006391052.tif 000010